(57)【要約】【課題】複数チャンネルの番組を同時に録画する際に、任意のチャンネルの番組の録画開始時刻及び終了時刻を同時に変更することのできる映像音声記録装置およびその方法を提供する。【解決手段】この発明の映像音声記録再生装置は、予約対象番組情報を取得し、録画対象の複数の番組を同時録画のための予約指示を受け付け、番組情報取得モジュールが取得した番組情報に基づいて予約録画制御モジュールが保持する予約情報により特定される番組情報、チャンネル情報、及び開始時刻と終了時刻を表示可能な表示出力を出力し、出力された表示出力に対応する番組情報、チャンネル情報、及び開始時刻と終了時刻の表示から番組情報、チャンネル情報、及び開始時刻と終了時刻の少なくとも１つの変更が指示された場合、予約録画制御モジュールが保持する予約情報を変更するとともに、変更後の番組情報、チャンネル情報、及び開始時刻と終了時刻を映像処理モジュールから出力される表示出力に反映させることを特徴とする。【選択図】  図２
2010130559.tif 000002
【特許請求の範囲】
【請求項１】
予約対象番組情報を取得する番組情報取得モジュールと、
録画対象の複数の番組を同時録画のための予約指示を受けつける予約録画制御モジュールと、
前記番組情報取得モジュールが取得した番組情報に基づいて前記予約録画制御モジュールが保持する予約情報により特定される番組情報、チャンネル情報、及び開始時刻と終了時刻を表示可能な表示出力を出力する映像処理モジュールと、
前記映像処理モジュールが出力した予約情報に対応する番組情報、チャンネル情報、及び開始時刻と終了時刻の表示から予約情報における番組情報、チャンネル情報、及び開始時刻と終了時刻の少なくとも１つの変更が指示された場合、前記予約録画制御モジュールが保持する予約情報を変更するとともに、変更後の番組情報、チャンネル情報、及び開始時刻と終了時刻を前記映像処理モジュールから出力される表示出力に反映させる制御モジュールと、
を有することを特徴とする映像音声記録再生装置。
【請求項２】
前記予約録画制御モジュールは、録画対象番組情報、チャンネル情報、録画開始時刻と終了時刻の変更が入力された際に、前記番組情報取得モジュールが取得した番組情報の表示に、予約録画の登録が変更されたことを重ねわせて表示可能に、前記映像処理モジュールが出力する表示出力を変更することを特徴とする請求項１記載の映像記録装置。
【請求項３】
前記制御モジュールは、前記予約録画制御モジュールが保持する録画対象番組情報、チャンネル情報、録画開始時刻と終了時刻の変更が入力された際に、前記番組情報取得モジュールが取得した番組情報の表示に、予約録画の登録が変更されたことを重ねわせて表示可能に、前記映像処理モジュールが出力する表示出力を変更することを特徴とする請求項２記載の映像記録装置。
【請求項４】
前記予約録画制御モジュールは、録画対象番組情報、チャンネル情報、録画開始時刻と終了時刻の変更を、前記番組情報取得モジュールが取得した番組情報に対応する表示出力上の表示位置の変更として受け付け、保持することを特徴とする請求項１記載の映像記録装置。
【請求項５】
前記制御モジュールは、前記予約録画制御モジュールが受け付けた録画対象番組情報、チャンネル情報、録画開始時刻と終了時刻の位置の変更の情報に基づき、前記番組情報取得モジュールが取得した番組情報に対応する表示出力上の表示位置を変更するよう、前記映像処理モジュールが出力する表示出力を変更することを特徴とする請求項４記載の映像記録装置。
【請求項６】
前記映像処理モジュールの出力端に接続される表示装置をさらに含むことを特徴とする請求項１ないし５のいずれか１項に記載の映像音声記録再生装置。
【請求項７】
予約対象番組情報を取得し、
録画対象の複数の番組を同時録画のための予約指示を受け付け、
番組情報取得モジュールが取得した番組情報に基づいて予約録画制御モジュールが保持する予約情報により特定される番組情報、チャンネル情報、及び開始時刻と終了時刻を表示可能な表示出力を出力し、
出力された表示出力に対応する番組情報、チャンネル情報、及び開始時刻と終了時刻の表示から番組情報、チャンネル情報、及び開始時刻と終了時刻の少なくとも１つの変更が指示された場合、予約録画制御モジュールが保持する予約情報を変更するとともに、変更後の番組情報、チャンネル情報、及び開始時刻と終了時刻を映像処理モジュールから出力される表示出力に反映させる
ことを特徴とする映像音声記録再生方法。
【発明の詳細な説明】
【技術分野】
【０００１】
この発明は、複数チャンネルの番組の映像及び音声を同時に記録可能な映像音声記録装置およびその方法に関する。
【背景技術】
【０００２】
従来からの地上アナログ放送に加え、衛星を用いた衛星放送や地上デジタル放送が普及し、映像及び音声からなる番組（コンテンツ）の供給元が多岐に亘っている。また、高速通信網の普及にともない、有線方式で番組を配信する配信事業者やネットワーク上に番組を公開して、ユーザーが番組を選択して視聴可能とする事業者も増えている。
【０００３】
このような背景から、複数の番組を同時に録画できることに対するユーザーの要望も増えている。
【０００４】
特許文献１には、特定のプログラムを録画するために利用可能なテレビスケジュール表を、取得したテレビスケジュール情報に基づいて作成し、ポップアップにて表示し、スケジュール表で選択されたプログラムを録画することが示されている。
【特許文献１】特表２０００−５０６７０７
【発明の開示】
【発明が解決しようとする課題】
【０００５】
特許文献１は、複数チャンネルの番組を同時に録画する際に、特定チャンネルの番組を追加する方法や複数チャンネルの番組の録画開始時刻と終了時刻を一括して変更することに関する記載およびその可能性を示していない。
【０００６】
この発明の目的は、複数チャンネルの番組を同時に録画する際に、任意のチャンネルの番組の録画開始時刻及び終了時刻を同時に変更することのできる映像音声記録装置およびその方法を提供することである。
【課題を解決するための手段】
【０００７】
この発明は、上記問題点に基づきなされたもので、予約対象番組情報を取得する番組情報取得モジュールと、録画対象の複数の番組を同時録画のための予約指示を受けつける予約録画制御モジュールと、前記番組情報取得モジュールが取得した番組情報に基づいて前記予約録画制御モジュールが保持する予約情報により特定される番組情報、チャンネル情報、及び開始時刻と終了時刻を表示可能な表示出力を出力する映像処理モジュールと、前記映像処理モジュールが出力した予約情報に対応する番組情報、チャンネル情報、及び開始時刻と終了時刻の表示から予約情報における番組情報、チャンネル情報、及び開始時刻と終了時刻の少なくとも１つの変更が指示された場合、前記予約録画制御モジュールが保持する予約情報を変更するとともに、変更後の番組情報、チャンネル情報、及び開始時刻と終了時刻を前記映像処理モジュールから出力される表示出力に反映させる制御モジュールと、を有することを特徴とする映像音声記録再生装置を提供するものである。
【発明の効果】
【０００８】
この発明の一つの実施の形態によれば、複数チャンネルの番組を同時に録画する際に、任意のチャンネルの番組の録画開始時刻及び終了時刻を変更することで、同一の時間帯に予定されている総ての予約録画に対する録画開始時刻および終了時刻を、同時に変更することができる。
【０００９】
また、任意のチャンネルの番組の録画開始時刻及び終了時刻は、表示される番組表（予約一覧表示）を用いて、対話的に変更可能である。
【００１０】
従って、映像音声記録装置の操作性が向上され、ユーザーに負担をかけることが抑止できる。
【発明を実施するための最良の形態】
【００１１】
以下、図面を参照して、本発明の実施の形態の一例について説明する。
【００１２】
図１は、この発明を適用した映像音声記録再生装置、例えばテレビ受信装置（デジタルテレビジョン放送受信装置）およびテレビ受信装置を中心として構成されるネットワークシステムの一例を示す。なお、以下に説明する映像音声記録再生装置は、例えば入力映像（動画）と音声（オーディオデータ）を記録可能で、その再生時に映像および音声を出力可能なレコーダー装置や、映像と音声を提供するチャンネルを選局して取得し、再生するチューナー装置、もしくは主として光ファイバに代表される有線放送基地（配信）局から配信される番組を受信するセットトップボックス等であってもよい。また、以下に説明する各要素において、「モジュール」と呼称する要素は、ハードウエアで実現するものであってもよいし、ＣＰＵ等を使ってソフトウエアで実現するものであってもよい。
【００１３】
テレビ受信装置１１１は、主として、薄型のキャビネット１１３と、このキャビネット１１３を起立させて支持する支持台１１５とを含む。
【００１４】
キャビネット１１３には、例えばＳＥＤ（Surface-conduction Electron-emitter Display）表示パネルや液晶表示パネル等を含む平面パネル型の映像表示器１３、主としてスピーカーである音声再生器１５、ユーザー操作に対応する制御信号の入力を受け付ける操作部１７、詳述しないリモートコントローラ（リモコン）１１７からのユーザー操作に基づく無線式あるいは赤外線式の操作情報を受けつける受信部１９等が設置されている。
【００１５】
また、テレビ受信装置１１１には、例えばＳＤ（Secure Digital）メモリカード、ＭＭＣ（Multimedia Card）及びメモリスティック等の第１のメモリカード１１９が着脱可能で、第１のメモリカード１１９に対して、番組や写真等の情報の記録と再生が行なわれる。
【００１６】
さらに、テレビ受信装置１１１には、例えば契約情報等の記録された第２のメモリカード（ＩＣカード）１２０が着脱可能となっており、この第２のメモリカード１２０に対して、情報の記録と再生が行なわれる。
【００１７】
また、テレビ受信装置１１１は、第１のＬＡＮ（Local Area Network）端子８１、第２のＬＡＮ端子８２、ＵＳＢ（Universal Serial Bus）端子８３及びｉ．ＬＩＮＫ端子８４を備えている。
【００１８】
第１のＬＡＮ端子８１は、ＬＡＮ対応ＨＤＤ（Hard Disk Drive）専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１９】
このように、ＬＡＮ対応ＨＤＤ専用ポートとしての第１のＬＡＮ端子８１を設けることにより、他のネットワーク環境やネットワーク使用状況等に影響されることなく、ＨＤＤ１２５に対して、ハイビジョン画質で提供される番組の情報を安定して記録することができる。
【００２０】
第２のＬＡＮ端子８２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダー１２９等の外部機器との接続、及び接続されたこれらの機器と情報伝送（情報の受け渡し）に使用される。
【００２１】
コンテンツサーバ１２８については、家庭内ネットワークにおいて、コンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２２】
なお、ＤＶＤレコーダー１２９については、第２のＬＡＮ端子８２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２３】
第２のＬＡＮ端子８２はまた、ハブ１２６に接続されたブロードバンドルータ１３１を介して、例えばインターネット等のネットワーク１３２に接続可能であり、コンテンツサーバ１３３や携帯電話１３４等と間の情報の伝送を行なうために使用される。
【００２４】
コンテンツサーバ１３３については、コンテンツのサーバ機器として動作するための機能を持ち、さらにコンテンツのアクセスに必要なＵＲＩ情報を提供するサービスを備えたＵＰｎＰ対応機器として構成される。
【００２５】
また、ＵＳＢ端子８３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２６】
ｉ．ＬＩＮＫ端子８４は、例えばＡＶ−ＨＤＤ１４１、Ｄ（Digital）−ＶＨＳ（Video Home System）１４２等をシリアル接続するもので、これらの機器との間の情報伝送を行なうために使用される。
【００２７】
図２は、図１に示した映像音声記録再生装置（テレビ受信装置）の１１１の主要な信号処理系を示している。
【００２８】
テレビ受信装置１１１は、図１を用いて説明した映像表示器１３、音声再生器１５、操作部１７、リモコン受信部１９、および上述したそれぞれのユニットからの信号の処理、上述したそれぞれのユニットへの信号の出力及び各ユニットの動作や表示等を制御する制御モジュール６０等を含む。また、制御モジュール６０は、制御ブロックあるいはメインボードと呼ばれることもある。なお、制御モジュール６０には、後段に説明するが少なくとも１つの内蔵型の大容量記録装置、例えばＨＤＤモジュール９０が接続されているものとする。
【００２９】
制御モジュール６０は、ＣＰＵ（Central Processing Unit）６１に代表される主制御用ＩＣ（ＬＳＩ）を内蔵し、操作部１７からの操作情報（入力）、またはリモコンから送出された操作情報を受信部１９により受信した（リモコン入力）制御信号に対応する操作内容が反映されるように、上述した各ユニットを、それぞれ制御する。
【００３０】
制御モジュール６０はまた、ＣＰＵ６１が実行する制御プログラムを保持したＲＯＭ（Read Only Memory）６２、ＣＰＵ６１に作業エリアを提供するＲＡＭ（Random Access Memory）６３、および各種の設定情報や、制御情報等が格納され、保持される不揮発性メモリ（Non Volatility Memory，ＮＶＭ）６４を、含む。なお、不揮発性メモリ（ＮＶＭ）６４は、後段に説明するが、例えば操作部１７あるいはリモコン１１７からの制御入力（ユーザー入力）として入力される「予約録画情報」を、ユーザー操作により『予約録画』が設定されるまでの間、一時的に保持する。
【００３１】
なお、制御モジュール６０は、ＲＯＭ（Read Only Memory）６２に格納されている制御プログラムに基づいて、欠陥場所検出、未記録領域検出、録画情報記録位置設定、ＵＤＦ記録、及びＡ／Ｖアドレス設定等を実行する。また、制御モジュール６０は、詳述しないが、ディレクトリ検出部、ＶＭＧ（ビデオ管理情報）作成部、コピー関連情報検知部、コピー及びスクランブリング情報処理部（ＲＤＩ処理部）、パケットヘッダ処理部、シーケンスヘッダ処理部、アスペクト比情報処理部、編集を実行する際の管理情報を処理する編集時管理情報制御部、あるいは録画を実行する際の管理情報を処理する録画時管理情報制御部、等として所定の動作あるいは処理を実現するための、さまざまな信号処理ブロックを含む。
【００３２】
制御モジュール６０はまた、設定された『予約録画』に関する、例えば［開始日時］，［終了日時］，［チャンネル］及び［レート］等の情報を保持し、予約録画を制御する予約録画制御モジュール６５、各種設定やユーザー操作（ユーザー入力）、例えば予約録画の設定のために利用されるＧＵＩ（Graphical User Interface，グラフィカルユーザーインタフェース）画面の表示を制御するＧＵＩ画面表示モジュール６６、ユーザーによる操作入力の有無を検知する操作入力判別モジュール６７、等を含む。
【００３３】
また、制御モジュール６０は、第１のカードＩ／Ｆ（Interface）７１を介して、前記第１のメモリカード１１９が装着可能な第１のカードホルダ７２に接続されている。これよって、制御モジュール６０は、第１のカードホルダ７２に装着された第１のメモリカード１１９と、カードＩ／Ｆ７１を介して、例えば番組や写真等の情報の記録と再生が可能となる。
【００３４】
制御モジュール６０はさらに、第２のカードＩ／Ｆ７３を介して、前記第２のメモリカード１２０が装着可能な第２のカードホルダ７４に接続されている。これにより、制御モジュール６０は、第２のカードホルダ７４に装着された第２のメモリカード１２０と第２のカードＩ／Ｆ７３を介して、契約情報等に従い、入力される放送波や配信された番組を視聴できる。
【００３５】
制御部モジュール６０にはまた、第１および第２の通信インターフェース（Ｉ／Ｆ）７５，７６、ＵＳＢインターフェース（Ｉ／Ｆ）７７、およびｉ．Ｌｉｎｋインターフェース（Ｉ／Ｆ）７８等の任意数のインターフェース群が接続され、それぞれのインターフェースに適合する外部装置あるいはハブ（拡張装置）もしくはネットワーク制御装置として機能する。
【００３６】
例えば、第１通信インターフェース７５には、ＬＡＮ端子８１が接続され、例えばＬＡＮ（ネットワーク）対応の図示しない外部（ＮＡＳ（Network Attached Storage）ＨＤＤ（Hard Disk Drive））が接続される。なお、ＬＡＮ端子８１は、イーサネット（Ethernet（登録商標））を用いた一般的なＬＡＮ対応ポートとして使用することも可能で、例えばハブ（Hub）が接続されることで、ＬＡＮ対応のＨＤＤ、ＰＣ（personal computer）、ＨＤＤ内臓のＤＶＤレコーダー等の機器の接続が可能である。
【００３７】
例えば、第２の通信Ｉ／Ｆ７６には、第２のＬＡＮ端子８２が接続されている。これにより、制御モジュール６０は、第２のＬＡＮ端子８２に接続された各機器（図１参照）との間で、相互に、情報伝送することができる。
【００３８】
ＵＳＢインターフェース（Ｉ／Ｆ）７７は、ＵＳＢポート８３と接続され、図１に示したように、ＵＳＢポート８３に接続されるハブ１３５を介して、携帯電話１３６、デジタルカメラ１３７、メモリカードに対するカードリーダ／ライタ１３８、ＵＳＢインターフェースを介してアクセス可能に形成されたＨＤＤ１３９、キーボード１４０等が接続可能であり、それぞれのＵＳＢ機器との間で情報の受け渡しが可能である。
【００３９】
ｉ．Ｌｉｎｋインターフェース（Ｉ／Ｆ）７８は、ポート８４を介して、例えばＡＶ（オーディオ−ビジュアル）−ＨＤＤ１４１や、Ｄ（Digital）−ＶＨＳ（video home system）１４２等の外部機器、もしくは外部地上波デジタルチューナー等がシリアル接続可能であり、接続される任意の機器との間で情報の受け渡しが可能である。
【００４０】
なお、詳述しないが、個々のインターフェースに加えて、もしくは任意の１または複数のインターフェースに代えて、例えばＤＬＮＡ（（登録商標）Digital Living Network Alliance）規格等に準拠したネットワークコントローラや、図示しないBluetooth（（登録商標）ブルートゥース）が用意され、それらを経由して、データの受け渡しが可能なレコーダー装置やＨＤＤ装置、もしくは携帯可能な端末装置が接続されてもよいことはいうまでもない。
【００４１】
またさらに、個々のインターフェースに加えて、もしくは任意の１または複数のインターフェースに代えて、図示しないが、ＨＤＭＩ（High-definition Digital Media Interface）端子が用意された場合には、詳述しないが、例えばＤＶＤレコーダーやＡＶアンプ、あるいはハブが接続される。なお、ＡＶアンプには、例えばＤＶＤレコーダーやＤＶＤプレーヤー等が接続される。また、ハブには、例えばＨＤＭＩ端子を備えたＡＶアンプや、ＰＣ（personal computer）、ＨＤＤ内臓のＤＶＤレコーダー、ＤＶＤプレーヤー等の外部機器が接続可能であり、例えば携帯音楽プレーヤーや映像再生装置等の携帯端末との間の動画ファイル（映像データ）やオーディオファイル（音声データ）の読み込みおよび再生ならびに書き込み（記録）等も可能である。
【００４２】
なお、ＨＤＭＩ端子を介して接続されている外部機器がＨＤＭＩ−ＣＥＣ（Consumer Electronics Control）に準拠している場合には、接続された外部機器は、例えばテレビジョン受信装置のリモート端末（リモコン）等の操作により、テレビジョン受信装置を経由して動作を制御することができる。
【００４３】
上述したテレビ受信装置１１１においては、ＢＳ／ＣＳデジタル放送受信用のアンテナ４２で受信した衛星デジタルテレビジョン放送信号は、入力端子４３を介して衛星デジタル放送用のチューナーモジュール４４に供給される。なお、チューナーモジュール４４は、２以上の複数のチャンネルの番組を、同時に受信可能である。
【００４４】
チューナーモジュール４４は、制御モジュール６０からの制御信号により少なくとも２つの所望のチャンネルの放送信号を選局し、この選局された放送信号をＰＳＫ（Phase Shift Keying）復調器モジュール４５に出力する。
【００４５】
ＰＳＫ復調器モジュール４５は、制御モジュール６０からの制御信号に基づき、チューナーモジュール４４で選局された放送信号を復調して、所望の番組を含んだトランスポートストリーム（Transport Stream，ＴＳ）を得て、ＴＳ復号器モジュール４６に出力する。なお、ＰＳＫ復調器モジュール４５は、２以上の複数のチャンネルの番組を同時に復調することができる。
【００４６】
ＴＳ復号器モジュール４６は、制御モジュール６０からの制御信号により、トランスポートストリーム多重化された信号のＴＳ復号処理（デパケット）し、所望の番組のデジタルの映像信号及び音声信号（ＰＥＳ（Packetized Elementary Stream））を信号処理モジュール４７のバッファメモリ４７ａに出力する。なお、ＴＳ復号器モジュール４６は、いずれも２以上の複数のチャンネルの番組を同時に復調し、ＴＳ復号処理が可能である。
【００４７】
すなわち、ＰＳＫ復調器モジュール４５およびＴＳ復号器モジュール４６は、図３に一例を示すが、任意数、例えば４組のＰＳＫ復調器モジュール４５ａ〜４５ｄ、およびＴＳ復号器モジュール４６ａ〜４６ｄを含む。
【００４８】
また、ＴＳ復号器モジュール４６は、デジタル放送により送られている番組（コンテンツ）を取得するための各種データ（サービス情報）、電子番組ガイド（ＥＰＧ）情報、番組属性情報（番組ジャンル等）および字幕情報等を制御モジュール６０へ出力する。さらに、ＴＳ復号器モジュール４６は、デジタル放送により送られているセクション情報を信号処理モジュール４７内のセクション処理モジュール４７ｂへ出力する。
【００４９】
また、地上波放送受信用のアンテナ４８で受信した地上デジタルテレビジョン放送信号は、入力端子４９を介して地上デジタル放送用のチューナーモジュール５０に供給される。なお、チューナーモジュール５０は、２以上の複数のチャンネルの番組を、同時に受信可能である。
【００５０】
チューナーモジュール５０は、制御モジュール６０からの制御信号により少なくとも１つの所望のチャンネルの放送信号を選局し、この選局された放送信号をＯＦＤＭ（Orthogonal Frequency Division Multiplexing）復調器モジュール５１に出力する。
【００５１】
ＯＦＤＭ復調器モジュール５１は、制御モジュール６０からの制御信号により、チューナーモジュール５０で選局された少なくとも１つの放送信号を復調して、所望の番組を含んだトランスポートストリームを得て、ＴＳ復号器５６に出力する。なお、ＯＦＤＭ復調器モジュール５１は、チューナーモジュール５０から入力される２以上の複数のチャンネルの番組を、同時に復調可能である。
【００５２】
ＴＳ復号器モジュール５６は、制御モジュール６０の制御の下で、トランスポートストリーム（ＴＳ）多重化された信号のＴＳ復号処理を行い、所望の番組のデジタルの映像信号および音声信号を信号処理モジュール４７に出力する。なお、ＴＳ復調器モジュール５６は、ＯＦＤＭ復調器モジュール５１（チューナーモジュール５０）から入力される２以上の複数のチャンネルの番組を、同時に復調可能である。
【００５３】
すなわち、ＯＤＦＭ復調器モジュール５１およびＴＳ復号器モジュール５６は、図４に一例を示すが、任意数、例えば４組のＯＤＦＭ復調器モジュール５１ａ〜５１ｄ、およびＴＳ復号器モジュール５６ａ〜５６ｄを含む。
【００５４】
地上波放送受信用のアンテナ４８で受信した地上アナログテレビジョン放送信号は、入力端子４９を介して地上アナログ放送用のチューナーモジュール５２に入力されることにより、同モジュール５２により、所望のチャンネルの放送信号が選局される。チューナーモジュール５２で選局された放送信号は、アナログ復調器モジュール５３によりアナログコンテンツすなわちアナログの映像信号および音声信号に復調された後、信号処理モジュール４７に出力される。
【００５５】
信号処理モジュール４７は、ＰＳＫ復調器４５及びＯＦＤＭ復調器５１からそれぞれ供給されたデジタルの映像信号および音声信号に対して、選択的に所定のデジタル信号処理を施し、グラフィック処理モジュール５４及び音声処理モジュール５５に出力する。
【００５６】
信号処理モジュール４７にはまた、複数（図示の場合は４つ）の入力端子４０ａ，４０ｂ，４０ｃ，４０ｄが接続されている。これら入力端子４０ａ〜４０ｄは、それぞれ、アナログの映像信号及び音声信号を、テレビ受信装置１１１の外部から入力可能とする。
【００５７】
なお、信号処理モジュール４７のセクション処理モジュール４７ｂでは、デジタル放送波により送られてくる番組を取得するための各種データや電子番組ガイド（ＥＰＧ）情報や、番組属性情報（番組ジャンル等）、字幕情報等（サービス情報、ＳＩやＰＳＩ）等を取得して、制御モジュール６０へ出力する。
【００５８】
信号処理モジュール４７または、アナログ復調器５３及び各入力端子４０ａ〜４０ｄから、それぞれ供給されたアナログの映像信号及び音声信号を選択的にデジタル化し、このデジタル化された映像信号及び音声信号に対して所定のデジタル信号処理を施した後、グラフィック処理モジュール５４及び音声処理モジュール５５に出力する。
【００５９】
より詳細には、信号処理モジュール４７は、ＰＳＫ復調器モジュール４５およびＴＳ復号器モジュール４６から供給される第１ないし第４の衛星放送（図３参照）と、ＯＤＦＭ復調器モジュール５１およびＴＳ復号器モジュール５６から供給される第１ないし第４の地上デジタル放送（図４参照）を、同時に、記録装置例えばＨＤＤに一例を示すが、任意数、例えば４組のＰＳＫ復調器モジュール４５ａ〜４５ｄ、およびＴＳ復号器モジュール４６ａ〜４６ｄを含む。
【００６０】
従って、例えば衛星向けチューナーモジュール４４で受信した４つのチャンネルの番組と地上デジタルチューナーモジュール５０で受信した４つのチャンネルの番組をＨＤＤジュール９０のハードディスクまたは外部ＨＤＤ１２５もしくはＡＶ−ＨＤＤ１４１に同時に録画し、ユーザーから指定された１つの番組を映像処理モジュール５８および音声処理モジュール５５を経由して、映像表示器１３および音声再生器１５に出力することが可能である。
【００６１】
なお、制御モジュール６０には、信号処理モジュール４７から、番組を取得するための各種データや電子番組ガイド（ＥＰＧ）情報、番組属性情報（番組ジャンル等）、字幕情報等（サービス情報、ＳＩやＰＳＩ）が入力されている。これにより、制御モジュール６０は、これら入力された情報からＥＰＧ、字幕を表示するため画像生成処理を行い、この生成した画像情報をグラフィック処理モジュール５４へ出力する。
【００６２】
なお、例えば『予約録画』の設定中においては、取得したＥＰＧ情報と予約録画のための条件が、予約録画制御モジュール６５で処理され、ＧＵＩ画面表示モジュール６６により生成されたＧＵＩ画面が、以下に説明する、グラフィック処理モジュール５４およびＯＳＤモジュール５７で生成される出力ＯＳＤ信号が、映像処理モジュール５８を経由して映像表示器１３および出力端２１に出力される。
【００６３】
グラフィック処理モジュール５４は、（１）信号処理モジュール４７内のＡＶデコーダ４７ｃから供給されるデジタルの映像信号と、（２）ＯＳＤ（On Screen Display）信号生成モジュール５７で生成されるＯＳＤ信号と、（３）データ放送による画像データと、（４）制御モジュール６０により生成されたＥＰＧ，字幕信号とを合成して映像処理モジュール５８へ出力する機能を有する。
【００６４】
なお、ＯＳＤ信号生成モジュール５７により出力される出力ＯＳＤ信号は、ＯＳＤ信号生成モジュール５７の出力ＯＳＤ信号とグラフィック処理モジュール４７の両出力をそれぞれ画面の半分を構成するように組み合わせて出力することができる。また、グラフィック処理モジュール４７は、αブレンディングのパラメーターが設定されることで、通常の映像表示上に、ＯＤＳ信号生成モジュール５７からの出力を、「半透明」状態で（通常の映像信号の一部を透過可能に）重ね合わせて、映像表示器１３あるいは（映像）出力端２１に出力させることもできる。
【００６５】
グラフィック処理モジュール５４はまた、放送信号が字幕信号を伴い、字幕が表示可能である場合は、制御モジュール６０からの制御信号および字幕情報に基づき、映像信号上に字幕情報を重畳する処理を行う。
【００６６】
グラフィック処理モジュール５４から出力されたデジタルの映像信号は、映像処理モジュール５８に供給される。映像処理モジュール５８は、映像表示器１３すなわちディスプレイ装置（モニタ装置）により映像（動画／静止画）出力として再生可能に、グラフィック処理モジュール５４から供給されるデジタルの映像信号をアナログの映像信号に変換する。なお、映像処理モジュール５８と接続された（映像）出力端２１には、例えば外部装置として、拡大投影装置（プロジェクタ装置）や外部モニタ装置が接続されてもよいことはいうまでもない。出力端２１にはまた、例えばＤＶＤ規格の光ディスクを記録媒体とするＤＶＤレコーダー装置や、従来からのビデオテープを記録媒体とするビデオレコーダー装置が接続されてもよい。
【００６７】
音声処理モジュール５５は、音声再生器１５すなわちスピーカー等であり、信号処理モジュール４７から供給されるデジタルの音声信号をアナログの音声信号に変換する。なお、詳述しないが、音声信号（オーディオ出力）は、出力端２３と接続される外部スピーカーや、オーディオアンプ（ミキサーアンプ）や、出力端２３の１つの形態として用意されるヘッドホン出力端に、音声／オーディオ出力として再生可能に出力されてもよいことはいうまでもない。
【００６８】
また、制御モジュール６０は、通信Ｉ／Ｆ７５を介して第１のＬＡＮ端子８１に接続されている。これにより、制御モジュール６０は、第１のＬＡＮ端子８１に接続されたＬＡＮ対応のＨＤＤ１２５との間で、映像及び音声を含む情報を伝送することができる。なお、制御モジュール６０は、ＤＨＣＰ（Dynamic Host Configuration Protocol）サーバとして機能し、第１のＬＡＮ端子８１に接続されたＬＡＮ対応のＨＤＤ１２５に、ＩＰ（Internet Protocol）アドレスを割り当てて制御している。
【００６９】
制御モジュール６０はさらに、通信Ｉ／Ｆ７６を介して第２のＬＡＮ端子８２に接続されている。これにより、制御モジュール６０は、第２のＬＡＮ端子８２に接続された各機器（図１参照）との間で、相互に、情報伝送することができる。
【００７０】
また、制御モジュール６０は、ＵＳＢ  Ｉ／Ｆ７７を介してＵＳＢ端子８３に接続されている。これにより、制御モジュール６０は、ＵＳＢ端子８３に接続された各機器（図１参照）と、ＵＳＢ  Ｉ／Ｆ７７を介して情報伝送することができる。
【００７１】
さらに、制御モジュール６０は、ｉ．ＬＩＮＫ  Ｉ／Ｆ７８を介してｉ．ＬＩＮＫ端子８４に接続されている。これにより、制御モジュール６０は、ｉ．ＬＩＮＫ端子８４に接続された各機器（図１参照）と、ｉ．ＬＩＮＫ  Ｉ／Ｆ７８を介して、相互に、情報伝送することができる。
【００７２】
図３は、衛星デジタル放送用のチューナーモジュール４４、４４ａ〜４４ｄ（サブモジュール）と、ＰＳＫ復調器モジュール４５、４５ａ〜４５ｄ（サブモジュール）と、（衛星デジタル放送用）ＴＳ復号器モジュール４６、４６ａ〜４６ｄ（サブモジュール）のそれぞれの接続の一例を示す。
【００７３】
図３から明らかなように、衛星デジタル放送用のチューナーモジュール４４は、複数、この例では４つのサブチューナーモジュール４４ａ〜４４ｄを内蔵している。それぞれのサブチューナモジュール４４ａ〜４４ｄの出力は、後段のＰＳＫ復調器モジュール４５の任意のサブモジュール４５ａ〜４５ｄに接続される。なお、サブモジュール４５ａ〜４５ｄとサブチューナーモジュール４４ａ〜４４ｄとの接続は、図示する４対４に限らず、１つのサブチューナモジュールに対してサブモジュール４５ａ〜４５ｄの任意の一つが対応する。
【００７４】
各ＰＳＫサブモジュール４５ａ〜４５ｄの出力は、後段のＴＳ復調器モジュール４６の任意のサブモジュール４６ａ〜４６ｄに接続される。なお、サブモジュール４６ａ〜４６ｄとＰＳＫサブモジュール４５ａ〜４５ｄとの接続は、図示する４対４に限らず、１つのサブジュールに対してＴＳサブモジュール４６ａ〜４６ｄの任意の一つが対応する。
【００７５】
このように、衛星デジタル放送用のチューナーモジュール４４、ＰＳＫ復調器モジュール４５、（衛星デジタル放送用）ＴＳ復号器モジュール４６のそれぞれが、例えば４系統である場合、最大で４つの番組が同時に復調および復号（デパケット）可能である。
【００７６】
図４は、地上デジタル放送用のチューナーモジュール５０、５０ａ〜５０ｄ（サブモジュール）と、ＯＦＤＭ復調器モジュール５１、５１ａ〜５１ｄ（サブモジュール）と、（地上デジタル放送用）ＴＳ復号器モジュール５６、５６ａ〜５６ｄ（サブモジュール）のそれぞれの接続の一例を示す。
【００７７】
図４から明らかなように、衛星デジタル放送用のチューナーモジュール５０は、複数、この例では４つのサブチューナーモジュール５０ａ〜５０ｄを内蔵している。それぞれのサブチューナモジュール５０ａ〜５０ｄの出力は、後段のＯＦＤＭ復調器モジュール５１の任意のサブモジュール５１ａ〜５１ｄに接続される。なお、サブモジュール５１ａ〜５１ｄとサブチューナーモジュール５０ａ〜５０ｄとの接続は、図示する４対４に限らず、１つのサブチューナモジュールに対してサブモジュール５１ａ〜５１ｄの任意の一つが対応する。
【００７８】
各ＯＦＤＭサブモジュール５１ａ〜５１ｄの出力は、後段の（地上デジタル放送用）ＴＳ復調器モジュール５６の任意のサブモジュール５６ａ〜５６ｄに接続される。なお、サブモジュール５６ａ〜５６ｄとＯＦＤＭサブモジュール５１ａ〜５１ｄとの接続は、図示する４対４に限らず、１つのサブジュールに対してＴＳサブモジュール４６ａ〜４６ｄの任意の一つが対応する。
【００７９】
このように、地上デジタル放送用のチューナーモジュール５０、ＯＦＤＭ復調器モジュール５１、（衛星デジタル放送用）ＴＳ復号器モジュール５６のそれぞれが、例えば４系統である場合、最大で４つの番組が同時に復調および復号（デパケット）可能である。
【００８０】
なお、図３及び図４に示した衛星デジタル放送用のチューナーモジュール４４の各サブチューナーモジュール４４ａ〜４４ｄと地上デジタル放送用のチューナーモジュール５０の各サブチューナーモジュール５０ａ〜５０ｄは、受信帯域（選局可能なチャンネル）が変更可能であり、例えば衛星デジタル放送用のチューナーモジュール４４の各サブチューナーモジュール４４ａ〜４４ｄの受信帯域を地上デジタル放送用の受信帯域に変更することで、ＰＳＫ復調器モジュール４５のサブモジュールが８系統用意されている場合には、最大で８チャンネルの地上デジタル放送を受信することも可能である。同様に、ＯＦＤＭ復調器モジュール５１のサブモジュールが８系統用意されている場合には、最大で８チャンネルの衛星デジタル放送を受信することも可能である。
【００８１】
図５ないし図８は、図１ないし図４に示したテレビ受信装置により、複数チャンネルの番組を所定時間、同時に予約録画する際の予約画面の一例を示す。なお、ここでは、地上デジタル放送を、４つのサブチューナーモジュール５０ａ〜５０ｄにより同時に受信して録画する例を説明する。
【００８２】
リモコン端末１１７あるいは操作部１７により、ユーザーから何らかの制御（操作）入力があったことが、操作入力判別モジュール６７において検出されると、［ナビ＜機能一覧＞］表示５０１が、映像処理モジュール５８を経由して映像表示器１３に表示される。なお、出力端２１にも同様の映像を表示可能な表示出力が出力される。また、現在再生中の番組またはチャンネルがある場合には、ＯＳＤモジュール５７により生成された出力ＯＳＤ信号が、現在再生中の番組またはチャンネルの映像に重ねて表示された状態で、映像表示器１３および出力端２１に出力される。
【００８３】
例えばリモコン端末１１７の操作により、［予約録画］表示５１１が選択されると、図６に一例を示すように、［番組ナビ＜全チャンネル一覧＞］表示６０１が、映像処理モジュール５８を経由して映像表示器１３に表示される。なお、出力端２１にも同様の映像を表示可能な表示出力が出力されるこというまでもない。
【００８４】
また、図６に示す［番組ナビ＜全チャンネル一覧＞］表示６０１においては、既に『予約録画』が設定されているチャンネル及び時間帯が、例えば「反転」あるいは「背景の着色」等の表示方法により、ユーザーが識別可能に表示される。なお、図６の例は、６０１Ｃ欄の［０７１］チャンネル、６０１Ｄ欄の［１２１］チャンネル、６０１Ｆ欄の［０３１］チャンネル及び６０１Ｇ欄の［１０１］チャンネルが、１４時から１６時までの２時間に亘って予約されていることを示している（［複数チャンネル予約］表示６０３）。
【００８５】
ユーザーにより、例えば図６の６０１Ｇ欄の［複数チャンネル予約］表示６０３が選択され、図７に示すように、６０１Ｈ欄の［１１１］チャンネルへの変更が指示されると、図７の［複数チャンネル予約］表示７０３から明らかなように、ＥＰＧに表示されている（既に予約録画制御モジュール６５が取得している）時間情報（対応するチャンネルの番組の放送時間）に従い、６０１Ｈ欄の［１１１］チャンネルの番組が終了する時間（１６時１５分）に、録画終了時刻が変更される。
【００８６】
このとき、『複数チャンネル予約』として同時に予約されている総ての番組の録画終了時刻が、６０１Ｈ欄の［１１１］チャンネルの番組が終了する時間に併せて変更される。すなわち、変更により、６０１Ｃ欄の［０７１］チャンネル、６０１Ｄ欄の［１２１］チャンネル及び６０１Ｆ欄の［０３１］チャンネルの番組は、１６時から１６時１５分まで追加して録画される。なお、この表示制御ならびに録画終了時刻の変更は、予約録画制御モジュール６５、ＧＵＩ画面表示モジュール６６、及び制御モジュール６０の機能によることはいうまでもない。
【００８７】
また、同時に録画する４つのチャンネルは、任意に変更可能であることはいうまでもない。さらに、前に説明したが、図３及び図４に示した衛星デジタル放送用のチューナーモジュール４４の各サブチューナーモジュール４４ａ〜４４ｄと地上デジタル放送用のチューナーモジュール５０の各サブチューナーモジュール５０ａ〜５０ｄが、受信帯域（選局可能なチャンネル）が変更可能である場合には、本件出願の説明においては、最大で８チャンネルの地上デジタル放送を録画することも可能である。
【００８８】
図８は、図６及び図７を用いて説明した『複数チャンネル予約』の実施の形態をソフトウエア的に示す。
【００８９】
例えば、図５に示した［ナビ＜機能一覧＞］表示５０１において、［予約録画］表示５１１が選択されることで、図６に示したような［番組表（［番組ナビ＜全チャンネル一覧＞］）］が表示される。
【００９０】
「予約録画」すべき番組が登録されている場合、『予約録画』が登録されている番組とチャンネルおよび時間帯（録画開始日時と録画終了日時）が表示される（ブロック１，図６参照）。
【００９１】
ブロック１で示された登録されている『予約録画』のうち、移動または変更したい番組もしくはチャンネルがユーザーにより選択されると（ブロック２，図７参照）選択された番組の表示が「反転」表示あるいは「背景の色」が変化され、移動または変更可能であることが表示される（ブロック３）。
【００９２】
以下、ユーザーの指示（リモコン入力等）により、新たに「予約録画」すべき番組あるいはチャンネルが登録（設定）されることで、変更された『予約録画』として登録されている番組（チャンネル）および時間帯（録画開始日時と録画終了日時）が表示される（ブロック４，図７参照）。なお、「予約録画」を移動しようとするチャンネルおよび時間帯に既に「予約録画」が登録されている場合には、同一のチャンネルおよび時間帯に既に予約が登録されていることを示すメッセージが表示される。このとき、チューナー（サブチューナーモジュール）およびＰＳＫ復調器モジュール（サブモジュール）、ＯＦＤＭ復調器モジュール（サブモジュール）およびＴＳ復調器モジュール（サブモジュール）に余裕がある（他の予約録画のための利用が予定されていない）場合には、新たな「予約録画」として登録される。また、既に登録されている「予約録画」のために、移動しようとする「予約録画」の移動ができない場合には、移動（変更）ができないことを示すメッセージが表示される。
【００９３】
以上説明したように、この発明の一つの実施の形態によれば、複数チャンネルの番組を同時に録画する際に、任意のチャンネルの番組の録画開始時刻及び終了時刻を変更することで、同一の時間帯に予定されている総ての予約録画に対する録画開始時刻および終了時刻を、同時に変更することができる。
【００９４】
また、任意のチャンネルの番組の録画開始時刻及び終了時刻は、表示される番組表（予約一覧表示）を用いて、対話的に変更可能である。
【００９５】
従って、映像音声記録装置の操作性が向上され、ユーザーに負担をかけることが抑止できる。
【００９６】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００９７】
【図１】この発明の実施の形態が適用可能な映像音声記録装置の構成の一例を示す概略図。
【図２】図１に示した映像音声記録装置において、「複数チャンネルの番組を同時に録画する際に、任意のチャンネルの番組の録画開始時刻及び終了時刻を同時に変更する」ことを実現する構成の要部の一例を示す概略図。
【図３】図１および図２に示した映像音声記録装置において、複数チャンネルの番組（衛星デジタル放送）を同時に録画可能とする構成の一例を示す概略図。
【図４】図１および図２に示した映像音声記録装置において、複数チャンネルの番組（地上デジタル放送）を同時に録画可能とする構成の一例を示す概略図。
【図５】図１および図２に示した映像音声記録装置において、表示装置（映像表示器）、または出力端に出力される表示出力の一例（表示装置への表示例）を示す概略図。
【図６】図１ないし図４に示した映像音声記録装置において、図５に示した表示例に引き続いて表示装置（映像表示器）、または出力端に出力される表示出力の一例（表示装置への表示例）を示す概略図。
【図７】図１ないし図４に示した映像音声記録装置において、図６に示した表示例に引き続いて表示装置（映像表示器）、または出力端に出力される表示出力の一例（表示装置への表示例）を示す概略図。
【図８】図５ないし図７を用いて説明した「複数チャンネルの番組を同時に録画する際に、任意のチャンネルの番組の録画開始時刻及び終了時刻を同時に変更する」ことをソフトウエア的に示す概略図。
【符号の説明】
【００９８】
１３…映像表示器（表示装置）、１５…スピーカー（音声再生器）、１７…操作部、１９…リモコン受信部、４０ａ〜４０ｄ…入力端子、４４、４４ａ〜４４ｄ……衛星デジタル放送用のチューナーモジュール、４５、４５ａ〜４５ｄ…ＰＳＫ復調器モジュール、４６、４６ａ〜４６ｄ…ＴＳ復号器モジュール（衛星デジタル放送用）、４７…信号処理モジュール、４７ａ…バッファメモリ、４７ｂ…セクション処理モジュール、４７ｃ…ＡＶデコーダ、５０、５０ａ〜５０ｄ……地上デジタル放送用のチューナーモジュール、５１、５１ａ〜５１ｄ…ＯＦＤＭ復調器モジュール、５２……地上アナログ放送用のチューナーモジュール、５３…アナログ復調器モジュール、５５…音声処理モジュール、５６、５６ａ〜５６ｄ…ＴＳ復号器モジュール（地上デジタル放送用）、５８…映像処理モジュール、６０…制御モジュール、６１…ＣＰＵ、６２…ＲＯＭ、６３…ＲＡＭ、６０…不揮発性メモリ（ＮＶ−ＲＡＭ）、６５…予約録画制御モジュール、６６…ＧＵＩ画面表示モジュール、６７…操作入力判別モジュール、９０…ＨＤＤ、１１１…テレビ受信装置（デジタルテレビジョン放送受信装置）、１１５…モニタ装置（表示装置）、１１７…リモートコントローラ、１１９…第１のメモリカード、１２０…第２のメモリカード。
【図１】
2010130559.tif 000003
【図２】
2010130559.tif 000004
【図３】
2010130559.tif 000005
【図４】
2010130559.tif 000006
【図５】
2010130559.tif 000007
【図６】
2010130559.tif 000008
【図７】
2010130559.tif 000009
【図８】
2010130559.tif 000010